【手続補正書】
【提出日】平成27年4月24日(2015.4.24)
【手続補正１】
【補正対象書類名】明細書
【補正対象項目名】００１１
【補正方法】変更
【補正の内容】
【００１１】
そこで、本発明は、投影された投影データに対する操作を行ったことを示す証跡を残すことを目的とする。
【手続補正２】
【補正対象書類名】明細書
【補正対象項目名】００１２
【補正方法】変更
【補正の内容】
【００１２】
上記の目的を達成するために、本発明の情報処理装置は、投影データを投影する投影装置と、前記投影データが投影される面である投影面を撮像する撮像装置と通信可能に接続される情報処理装置であって、前記投影データの所定領域を記憶する記憶手段と、前記投影面上のオブジェクトの位置を特定する位置特定手段と、前記位置特定手段で特定した前記オブジェクトの位置が前記記憶手段で記憶する前記所定領域内にある状態の投影面を撮像するように、前記撮像装置に撮像を指示する撮像制御手段と、前記撮像装置から取得した画像データであって、少なくとも前記オブジェクトを含む画像データを保存する画像データ保存手段とを備えることを特徴とする。
【手続補正３】
【補正対象書類名】明細書
【補正対象項目名】００１３
【補正方法】変更
【補正の内容】
【００１３】
本発明によれば、投影された投影データに対する操作を行ったことを示す証跡を残すことのできる効果を奏する。
【手続補正４】
【補正対象書類名】特許請求の範囲
【補正対象項目名】全文
【補正方法】変更
【補正の内容】
【特許請求の範囲】
【請求項１】
投影データを投影する投影装置と、前記投影データが投影される面である投影面を撮像する撮像装置と通信可能に接続される情報処理装置であって、
前記投影データの所定領域を記憶する記憶手段と、
前記投影面上のオブジェクトの位置を特定する位置特定手段と、
前記位置特定手段で特定した前記オブジェクトの位置が前記記憶手段で記憶する前記所定領域内にある状態の投影面を撮像するように、前記撮像装置に撮像を指示する撮像制御手段と、
前記撮像装置から取得した画像データであって、少なくとも前記オブジェクトを含む画像データを保存する画像データ保存手段と
を備えることを特徴とする情報処理装置。
【請求項２】
前記画像データ保存手段は、前記画像データと前記撮像装置の撮像時に前記投影装置で投影していた投影データとを対応付けて保存することを特徴とする請求項１に記載の情報処理装置。
【請求項３】
前記画像データ保存手段は、前記画像データと前記所定領域とを対応付けて保存すること
を特徴とする請求項１または２に記載の情報処理装置。
【請求項４】
前記投影装置で投影している投影データが、所定の向きであるか否かを判定する向き判定手段
を更に備え、
前記撮像制御手段は、前記向き判定手段で前記投影データの向きが所定の向きであると判定された場合に、前記撮像装置に撮像を指示することを特徴とする請求項１乃至３のいずれか１項に記載の情報処理装置。
【請求項５】
前記所定の向きは前記投影装置で投影する投影データを用いて説明を受けるユーザに相対する向きであることを特徴とする請求項４に記載の情報処理装置。
【請求項６】
前記記憶手段は、撮像をするべきユーザである第１のユーザと撮影をしない第２のユーザとを更に記憶しており、
前記オブジェクトが前記記憶手段に記憶される前記第１のユーザのオブジェクトであるか、前記第２のユーザのオブジェクトであるかを特定するユーザ特定手段
を更に備え、
前記ユーザ特定手段で特定したユーザが前記第１のユーザである場合には、前記撮像制御手段は、前記撮像装置に撮像を指示することを特徴とする請求項１乃至５のいずれか１項に記載の情報処理装置。
【請求項７】
前記画像データ保存手段は、前記ユーザ特定手段で特定したユーザと前記画像データとを対応付けて保存することを特徴とする請求項６に記載の情報処理装置。
【請求項８】
前記投影面へどの方向から前記オブジェクトが進入してきたかを示す進入方向を特定する進入方向特定手段
を更に備え、
前記記憶手段は、オブジェクトが投影面に進入してきた方向を示す進入方向情報を更に記憶しており、
前記進入方向特定手段で特定した前記進入方向が前記記憶手段に記憶される前記進入方向情報が示す方向である場合に、前記撮像制御手段は前記撮像装置に撮像を指示することを特徴とする請求項１乃至７のいずれか１項に記載の情報処理装置。
【請求項９】
前記所定領域の属性を特定する属性特定手段
を更に備え、
前記記憶手段は、撮像をするべき所定領域の属性である第１の属性と、撮像をしない所定領域の属性である第２の属性とを更に記憶しており、
前記撮像制御手段は、前記属性特定手段で特定した属性が前記第１の属性である場合には前記撮像装置に撮像を指示し、前記属性特定手段で特定した属性が前記第２の属性である場合には撮像を指示しないことを特徴とする請求項１乃至８のいずれか１項に記載の情報処理装置。
【請求項１０】
投影データを投影する投影装置と、前記投影データが投影される面である投影面を撮像する撮像装置と通信可能に接続される、前記投影データの所定領域を記憶する記憶手段を備える情報処理装置の制御方法であって、
前記情報処理装置の位置特定手段が、前記投影面上のオブジェクトの位置を特定する位置特定ステップと、
前記情報処理装置の撮像制御手段が、前記位置特定ステップで特定した前記オブジェクトの位置が前記記憶手段で記憶する前記所定領域内にある状態の投影面を撮像するように、前記撮像装置に撮像を指示する撮像制御ステップと、
前記情報処理装置の画像データ保存手段が、前記撮像装置から取得した画像データであって、少なくとも前記オブジェクトを含む画像データを保存する画像データ保存ステップと
を備えることを特徴とする情報処理装置の制御方法。
【請求項１１】
投影データを投影する投影装置と、前記投影データが投影される面である投影面を撮像する撮像装置と通信可能に接続される、前記投影データの所定領域を記憶する記憶手段を備える情報処理装置で実行可能なプログラムであって、
前記情報処理装置を、
前記投影面上のオブジェクトの位置を特定する位置特定手段と、
前記位置特定手段で特定した前記オブジェクトの位置が前記記憶手段で記憶する前記所定領域内にある状態の投影面を撮像するように、前記撮像装置に撮像を指示する撮像制御手段と、
前記撮像装置から取得した画像データであって、少なくとも前記オブジェクトを含む画像データを保存する画像データ保存手段
として機能させることを特徴とするプログラム。
【請求項１２】
投影データを投影する投影装置と、前記投影データが投影される面である投影面を撮像する撮像装置と通信可能に接続される情報処理装置とを含む投影システムであって、
前記投影データの所定領域を記憶する記憶手段と、
前記投影面上のオブジェクトの位置を特定する位置特定手段と、
前記位置特定手段で特定した前記オブジェクトの位置が前記記憶手段で記憶する前記所定領域内にある状態の投影面を撮像するように、前記撮像装置に撮像を指示する撮像制御手段と、
前記撮像装置から取得した画像データであって、少なくとも前記オブジェクトを含む画像データを保存する画像データ保存手段と
を備えることを特徴とする投影システム。
【請求項１３】
投影データを投影する投影装置と、前記投影データが投影される面である投影面を撮像する撮像装置と通信可能に接続される情報処理装置とを含む投影システムであり、前記投影データの所定領域を記憶する記憶手段を備える投影システムの制御方法であって、
前記投影システムの位置特定手段が、前記投影面上のオブジェクトの位置を特定する位置特定ステップと、
前記投影システムの撮像制御手段が、前記位置特定ステップで特定した前記オブジェクトの位置が前記記憶手段で記憶する前記所定領域内にある状態の投影面を撮像するように、前記撮像装置に撮像を指示する撮像制御ステップと、
前記投影システムの画像データ保存手段が、前記撮像装置から取得した画像データであって、少なくとも前記オブジェクトを含む画像データを保存する画像データ保存ステップと
を備えることを特徴とする投影システムの制御方法。
【請求項１４】
投影データを投影する投影装置と、前記投影データが投影される面である投影面を撮像する撮像装置と通信可能に接続される情報処理装置を含む投影システムであり、前記投影データの所定領域を記憶する記憶手段を備える投影システムで実行可能なプログラムであって、
前記投影システムを、
前記投影面上のオブジェクトの位置を特定する位置特定手段と、
前記位置特定手段で特定した前記オブジェクトの位置が前記記憶手段で記憶する前記所定領域内にある状態の投影面を撮像するように、前記撮像装置に撮像を指示する撮像制御手段と、
前記撮像装置から取得した画像データであって、少なくとも前記オブジェクトを含む画像データを保存する画像データ保存手段
として機能させることを特徴とするプログラム。